(57)【要約】      （修正有）【課題】懐中電灯を使用する時に手に持たないで両手を自由にして懐中電灯で照らす焦点を自由自在に、便利にして最も合理的に使用する事が出来るように構成する。【解決手段】ベルトに、懐中電灯を固定する用具を、用具台２の用具台取り付け釘、４で止める、又は接着した懐中電灯を固定する用具付きベルト及び、本考案の懐中電灯を固定する用具を、用具台２の両端をテープバンド固定穴１０に伸縮自在９を取り付けたテープバンド７を固定する事により取り外しが自由なため、ポセットやリックサックのタスキ等に取り付けて、調整ネジ等で懐中電灯の照らす焦点を調整して使用する。【選択図】図３
0003118966.tif 000002
【実用新案登録請求の範囲】
【請求項１】
金属及びプラスチック等の用具台２に、懐中電灯を固定する用具を取り付けた、懐中電灯を固定する用具。
【考案の詳細な説明】
【技術分野】
【０００１】  本考案は懐中電灯を使用するとき手を使わなくても良いように懐中電灯を固定する用具に関するものである。
【背景技術】
【０００２】  懐中電灯を手に持たないで両手を自由な状態で懐中電灯を使用する方法としてはベルトやポケット等に挟みこんで保持させるグリップを懐中電灯本部よりに着脱可能又は固定して取り付ける方法が開始されている。
【特許文献１】特開平１１−３５３９０１号公報
【考案の開示】
【考案が解決しようとする課題】
【０００３】  懐中電灯をベルトやポケットに差し込むだけでは懐中電灯で照らす焦点は定まらない、そのようなことを無くすために、設定した角度で焦点を固定し両手を自由に使えるようにして解決しようとするものである。
【課題を解決しようとするための手段】
【０００４】  本考案は、両手を自由にするために懐中電灯を使用するとき手に持たなくても良いように考案の用具台２の上に懐中電灯を固定する用具１を設けベルト６に用具台を取り付けピン４で、固定又は接着して考案の用具付きベルトにて解決しようとするものである。
【０００５】  本考案の懐中電灯を固定する用具台２をベルトに固定しないで用具台２と共に、付けたり外したりするために用具台２の、両端に設けた面ファスナテープバンド７でベルトやポセットのベルト等に巻き付けて面ファスナ８で固定して懐中電灯で照らす焦点を角度調整ネジ等で調整する事により解決しようとするものである。
【考案の効果】
【０００６】  災害や非常時の時に片手に懐中電灯を持つ必要がなく両手を自由にして、大事な物を持って非難することが出来る。
【０００７】  又スポーツやレジャーの時にも役に立つ例としてレジャーでは釣りやテントキャンプ等スポーツでは早朝の散歩やジョギングそして夜遅くのジョギング又はウォーキングそしてウルトラマラソンや夜通し走るマラニックの時にも便利に使用出来る。
【０００８】  体にビシットフイットしたベルトやポセット等に固定すれば夜通し走るマラニックでも懐中電灯で照らす焦点は、ずれないので、走行に便利である。
【考案を実施するための最良の形態】
【０００９】  懐中電灯を固定する用具台２をベルトに取り付ける取り付け釘、４で固定し、又は接着して完全に止め、角度調整ネジ等の締め具合で懐中電灯で照らす焦点を調節することで懐中電灯を手に持たなくても機能的に使用する事が出来る。【００１０】  ポセット等に固定する時は、用具台の両端を面ファスナテープ７でポセットのベルト等に巻き固定して使用する事が出来る。【００１１】  リックサックは、肩に掛けるひもやタスキ等に、面ファスナテープ７で用具台の両端をひもやタスキ等に巻き付けて、固定して使用する。
【図面の簡単な説明】
【００１２】
【図１】  本考案の正面図
【図２】  用具をベルトに固定した斜視図
【図３】  テープバンド付用具の正面図
【図４】  ポセットにテープバンドで懐中電灯を固定する用具を取り付けた斜視図
【符号の説明】
【００１３】  １    本考案の懐中電灯を固定する用具
２    用具台
３    角度調整ネジ
４    用具台取り付け釘
５    懐中電灯止めピン
６    ベルト
７    面ファスナテープバンド
８    テープバンドの面ファスナ
９    伸縮自在素材
１０    テープバンド固定穴
１２    ポセット
１３    ポセットのベルト
【図１】
0003118966.tif 000003
【図２】
0003118966.tif 000004
【図３】
0003118966.tif 000005
【図４】
0003118966.tif 000006
【手続補正書】
【提出日】平成17年6月7日(2005.6.7)
【手続補正１】
【補正対象書類名】実用新案登録請求の範囲
【補正対象項目名】全文
【補正方法】変更
【補正の内容】
【実用新案登録請求の範囲】
【請求項１】
金属及びプラスチック等の用具台２に、懐中電灯を固定する用具１を取り付けてベルト６、ポセットのベルト１３、リュックサックのタスキ１５等に取り付けて、懐中電灯の焦点を安定する事を特微とする懐中電灯を固定する用具。
【手続補正書】
【提出日】平成17年8月15日(2005.8.15)
【手続補正１】
【補正対象書類名】実用新案登録請求の範囲
【補正対象項目名】全文
【補正方法】変更
【補正の内容】
【実用新案登録請求の範囲】
【請求項１】
本考案の懐中電灯を固定する用具１金属及びプラスチイク等の用具台２それは素材として懐中電灯の手元を支えることが出来るもの。紙や布の様な薄いものではなく少し丈夫な物で用具台２懐中電灯を固定する用具台１を作ることを特微とする本考案の懐中電灯を固定する用具１
【請求項２】
手を使わなくして、懐中電灯を体の一部に持ち固定するには用具台２の中心に本考案の懐中電灯を固定する用具１を角度調整ネジ３で固定することを特微とする本考案の懐中電灯を固定する用具１
【請求項３】
用具台２に取り付けられた本考案の懐中電灯を固定する用具１は角度調整ネジ３の締め具合で角度が自由になる事により懐中電灯のてらす焦点が安定することを特微とする本考案の懐中電灯を固定する用具１
【請求項４】
本考案の懐中電灯を固定する用具１を取り付けてある用具台２の両端に面ファスナテープバンド７伸縮自在９をテープバンド固定する穴１０に固定することを特微とする本考案の懐中電灯を固定する用具１
【請求項５】
伸縮自在９の両端に面ファスナテープバンド７を取り付けたゴムテープをベルト６などに巻きつけて面ファスナ８で止めるだけで用具台２を固定する事ができる事を特微とする本考案の懐中電灯を固定する用具１
【請求項６】
ベルト６やポセットのベルト１３そして肩に背負うリュックサックのタスキ１５などに自由に取り外しが出来ることを特微とする本考案の懐中電灯を固定する用具１
【請求項７】
用具台２に本考案の懐中電灯を固定する用具１を角度調整ネジ３で取り付け用具台２の両端につけてある面ファスナテープバンド７でベルト６ポセットのベルト１３リュックサックのタスキ１５に巻きつけて固定し角度調整ネジ３により懐中電灯で照らす焦点を調整することが出来るので懐中電灯を手に持たなくても両手を自由自在に使用する事が出きることを特微とする本考案の懐中電灯を固定する用具１。
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
懐中電灯を固定するために、懐中電灯を支える事が出来る強度を有するもので、薄いアルミ板やプラスチックの用具台に懐中電灯を固定する用具を取り付けて各種ベルト、リュックサックのタスキに取り付けても懐中電灯で照らす焦点は角度調整ネジの締め具合で安定することを特微とする懐中電灯を固定する用具。